(57)【特許請求の範囲】
【請求項１】
機体フレーム（１）の左右一側に作物を圃場から引き抜いて後上方に搬送する引抜搬送装置（２４）を設け、該引抜搬送装置（２４）から作物を引き継いで左右一側から左右他側に搬送する選別搬送装置（８７）を設け、該選別搬送装置（８７）の搬送終端部を上下動自在に構成し、
前記選別搬送装置（８７）の搬送終端部に昇降アーム（９４）の基部を上下回動自在に取り付け、該昇降アーム（９４）の自由端部に回動軸（９５）を回動自在に支持し、該回動軸（９５）に、回動軸（９５）の軸心に対して交わる方向にアーム（９５ａ）と吊下部材（９６）とを一体に設け、吊下部材（９６）は選別搬送装置（８７）の搬送終端部で作物を収容する収容部材を開口状態で吊り下げる構成とし、該アーム（９５ａ）の自由端部と選別搬送装置（８７）の搬送終端部の上方に設定した機体上の定位置との間に、前記アーム（９５ａ）を定位置側へ向けて引っ張る引張部材（９８）を設けて、
前記選別搬送装置（８７）の搬送終端部の上昇に連動して前記吊下部材（９６）が上昇すると共に該吊下部材（９６）の傾斜角度が小さくなる構成としたことを特徴とする根菜類収穫機。
【発明の詳細な説明】
【技術分野】
【０００１】
本発明は、作物を圃場から引き抜き、手作業で作物を選別して収容袋で収穫する根菜類収穫機に関するものである。
【背景技術】
【０００２】
従来の根菜類収穫機としては、選別搬送コンベアの搬送終端部側に収容袋を吊り下げるハンガーを設け、このハンガーで収容袋の上部を開口して支持する技術が存在する。（特許文献１）
【特許文献１】特許第４２３９９２０号公報
【発明の概要】
【発明が解決しようとする課題】
【０００３】
しかしながら、特許文献１に記載された根菜類収穫機では、収容袋を吊り下げるハンガーは選別搬送コンベアの上下動に連動して上下動するため、選別搬送コンベアを下げると収容袋が縮んで収容袋全体に弛みが生じ、この弛みの分作物の収容スペースが減ってしまうので、定期的に機体の走行や選別搬送コンベアの駆動を停止させてから選別搬送コンベアを上昇させ、収容袋を吊り上げて収容スペースを確保しなければならず、その間作物の収穫作業や収穫した作物の選別作業が停止してしまい、作業能率が低下してしまう問題がある。
【０００４】
本発明は、この問題を解消しようとするものである。
【課題を解決するための手段】
【０００５】
請求項１記載の発明は、機体フレーム（１）の左右一側に作物を圃場から引き抜いて後上方に搬送する引抜搬送装置（２４）を設け、該引抜搬送装置（２４）から作物を引き継いで左右一側から左右他側に搬送する選別搬送装置（８７）を設け、該選別搬送装置（８７）の搬送終端部を上下動自在に構成し、前記選別搬送装置（８７）の搬送終端部に昇降アーム（９４）の基部を上下回動自在に取り付け、該昇降アーム（９４）の自由端部に回動軸（９５）を回動自在に支持し、該回動軸（９５）に、回動軸（９５）の軸心に対して交わる方向にアーム（９５ａ）と吊下部材（９６）とを一体に設け、吊下部材（９６）は選別搬送装置（８７）の搬送終端部で作物を収容する収容部材を開口状態で吊り下げる構成とし、該アーム（９５ａ）の自由端部と選別搬送装置（８７）の搬送終端部の上方に設定した機体上の定位置との間に、前記アーム（９５ａ）を定位置側へ向けて引っ張る引張部材（９８）を設けて、前記選別搬送装置（８７）の搬送終端部の上昇に連動して前記吊下部材（９６）が上昇すると共に該吊下部材（９６）の傾斜角度が小さくなる構成としたことを特徴とする根菜類収穫機とした。
【０００６】
【発明の効果】
【０００７】
請求項１記載の発明によれば、選別搬送装置（８７）の搬送終端部の上昇に連動して吊下部材（９６）の傾斜角度が小さくなることによって、吊下部材（９６）の傾斜下り側が上昇するので、選別搬送装置（８７）の搬送終端部の上昇に伴い収容部材の左右一側に偏倚して堆積した作物がこの収容部材の左右一側から溢れ出ることを防止でき、落下の衝撃で作物が傷付くことが防止され、商品価値が向上する。
【０００８】
また、吊下部材（９６）の傾斜角度が小さくなり吊下部材（９６）の傾斜下り側が上昇すると、収容部材の傾斜下り側が上方に吊り上げられるので、選別搬送装置（８７）の搬送終端部を上昇させるだけで収容部材の傾斜下り側に生じる弛みを取ることができ、従来のように収容部材の収容スペースを確保するために機体の走行や選別搬送装置（８７）の駆動を停止させ、選別搬送装置（８７）の搬送終端部側を上下動させて収容部材の弛みを取る必要がなく、作業能率が向上する。
【０００９】
そして、回動軸（９５）に設けたアーム（９５ａ）が引張部材（９８）によって機体上に設定した定位置に向かって引っ張られると、この回動軸（９５）とアーム（９５ａ）と定位置とが一直線に並ぼうとする力が働くが、この引っ張る力と吊下部材（９６）が自重で水平姿勢に戻ろうとして回転軸（９５）を回転させようとする力とが吊り合い、選別搬送装置（８７）の搬送終端部の上昇位置に対して吊下部材（９６）をバランスの取れた姿勢で保持することができる。
【００１０】
また、選別搬送装置（８７）の搬送終端部を上昇させると、引張部材（９８）の引っ張る力が弱まり、吊下部材（９６）が自重により回動軸（９５）を回転させようとする力よりも引張部材（９８）がアーム（９５ａ）を定位置側に引っ張る力が小さくなるので、回動軸（９５）が回転して吊下部材（９６）の傾斜角度が小さくなり吊下部材（９６）の傾斜下り側が上昇するので、収容部材（９７）の傾斜下り側の弛みを取ることができる。
【００１１】
これによって、従来のように収容スペースを確保するために機体の走行や選別搬送装置（８７）の駆動を停止させ、選別搬送装置（８７）の搬送終端部側を上下動させて収容部材（９７）の弛みを解消する必要がなく、作業能率が向上する。
【００１２】
また、吊下部材（９６）の傾斜姿勢制御を、制御装置やモータ等を用いる電子制御方式とする場合と比較して略同等の効果を発揮できるものでありながら、高価な制御装置やモータを用いる必要がないので、製造コストを低く抑えることができ、安価に提供することができる。
【図面の簡単な説明】
【００１３】
【図１】根菜類収穫機の左側面図
【図２】根菜類収穫機の右側面図
【図３】根菜類収穫機の平面図
【図４】根菜類収穫機の背面図
【図５】根菜類収穫機の背面図の動作例
【図６】根菜類収穫機の背面図の動作例
【図７】根菜類収穫機の要部平面図
【図８】（ａ）加工前の搬送プレートの平面図、（ｂ）加工後の搬送プレートの平面図、（ｃ）加工後の搬送プレートの右側面図
【図９】複数の搬送プレートを並べた要部平面図
【図１０】複数の搬送プレートを並べた要部側面図
【図１１】複数の搬送プレートを異なる配置で並べた要部平面図
【図１２】茎葉切断部の側面図
【図１３】茎葉切断部の平面図
【図１４】茎葉切断部の肩揃え装置の要部平面図
【図１５】（ａ）肩揃え装置の搬送体の平面図、（ｂ）肩揃え装置の搬送体の側面図、（ｃ）肩揃え装置の搬送体の正面図
【図１６】肩揃え装置の側面断面図
【図１７】積み降ろし機構の平面図
【図１８】積み降ろし機構の側面図
【図１９】根菜類収穫機の別実施例の要部平面図
【図２０】根菜類収穫機の別実施例の要部平面図
【図２１】根菜類収穫機の別実施例の要部背面図
【図２２】根菜類収穫機の別実施例の要部平面図
【図２３】（ａ）別実施例の搬送ラグを設けた搬送プレートの右側面図、（ｂ）別実施例の搬送ラグを設けた搬送プレートの正面図、（ｃ）別実施例の搬送ラグを設けた搬送プレートの背面図
【図２４】根菜類収穫機の別実施例の要部背面図
【発明を実施するための最良の形態】
【００１４】
本発明の実施の形態について説明する。
図１〜図１８に示すように、実施例の一つとして示す根菜類収穫機の一種である人参収穫機は、機体を走行させる走行部Ａと、操縦者が搭乗する操縦部Ｂと、機体左右一側で圃場から人参を引き抜いて機体後上側に搬送する収穫部Ｃと、該収穫部Ｃから人参を引き継いで機体後方に搬送しながら茎葉部を切断する茎葉切断部Ｄと、茎葉切断部Ｄから落下する人参を受けて人参に残った茎葉部を処理する残葉処理部Ｅと、残葉処理部Ｅから人参を引き継いで人参を機体左右一側から左右他側へと搬送し、搬送中の人参を補助作業者が選別する選別搬送部Ｆと、該選別搬送部Ｆから排出される人参を収容する収容部Ｇとから構成される。
【００１５】
なお、本件においては、平面図において、機体の進行方向に対して左側を機体左右一側、機体の進行方向に対して右側を機体左右他側と称する。以下、各部の詳細を具体的に記載する。
【００１６】
まず、走行部Ａの構成について説明する。
図１〜図６で示すように、機体フレーム１の下方に機体前部側の左右駆動スプロケット２，２と機体後部側の左右従動輪３，３と、該左右駆動スプロケット２，２と左右従動輪３，３との間に取り付けた複数の転輪４，４・・・の周りに左右ベルト５，５を巻き掛けて左右のクローラ６Ｌ，６Ｒを構成する。そして、該左右クローラ６Ｌ，６Ｒの左右駆動スプロケット２，２を、エンジン７の動力が伝動されるミッションケース８から左右両側に延出させた左右ドライブシャフト９，９に取り付け、一定の左右間隔を設けて左右クローラ６Ｌ，６Ｒを該機体フレーム１に取り付ける。
【００１７】
次に、操縦部Ｂの構成について説明する。
図１〜図６で示すように、前記機体フレーム１の右側上部に操縦部フレーム１０を取り付け、該操縦部フレーム１０には操縦座席１１を取り付けると共に、機体前側に操縦パネル１２を取り付ける。そして、該操縦パネル１２に機体の前後進及び走行速度を切り換える変速操作レバー１３を取り付けると共に、機体の左右旋回操作及び収穫部Ｃの作業高さを操作する昇降操作レバー１４を取り付ける。
【００１８】
上記構成により、変速操作レバー１３や昇降操作レバー１４のような、１本で複数の操作を行える操縦部材を設けることによって、機体の操縦が容易になるため操縦者の作業を軽減することができる。
【００１９】
次に、収穫部Ｃの構成について説明する。
図１〜図６で示すように、左右引抜フレーム１５，１５の機体前側に左右従動プーリ１６，１６を回転自在に装着し、機体後側に左右駆動プーリ１７，１７を装着し、該左右従動プーリ１６，１６と左右駆動プーリ１７，１７との間に人参を引き抜き機体後部へと搬送する左右挟持搬送ベルト１８，１８を巻き掛けると共に、複数のテンションローラ１９…によって該左右挟持搬送ベルト１８，１８を張圧し、左右挟持搬送ベルト１８，１８の機体内側面を互いに圧接させて人参の引抜搬送経路Ｒを構成する。そして、前記機体フレーム１の上方に左右横軸２１を回動支点として上下方向に回動自在な回動フレーム２０を取り付け、該回動フレーム２０の後端部に前記左右駆動プーリ１７，１７に駆動力を伝動する伝動ケース２２を、回動支点Ｘを中心として上下回動自在に取り付ける。また、前記機体フレーム１と回動フレーム２０とを昇降シリンダ２３で連結し、該昇降シリンダ２３を操縦部Ｂで操作可能に取り付けて引抜搬送装置２４を構成する。
【００２０】
また、該引抜搬送装置２４の前方に人参の茎葉部を引き起こす縦引起し装置２５と、該縦引起し装置２５が引起した茎葉部を掬い上げる横引起し装置２６と、該横引起し装置２６の前部に設ける分草杆２７と、ハンドル２９を回すと上下伸縮する伸縮ロッド３０の下端部に引抜搬送装置２４の下り過ぎを防止する回転自在なゲージ輪３１と、前記エンジン７の駆動力で回転するシャフト３２の回転によって振動する振動フレーム３３に取り付けた人参の左右の土を振動によって解す左右振動ソイラ３４，３４とを設ける。
【００２１】
そして、前記引抜搬送通路Ｒの下方に引抜搬送装置２４で搬送中の人参のひげ根を切断する尻尾切装置３５を取り付けて、収穫部Ｃを構成する。
上記構成により、機体前側に分草杆２７を備える横引起し装置２６と、縦引起し装置２５を設けることによって、圃場に倒伏した人参の茎葉を掻き上げながら収穫作業ができ、収穫する人参の視認性が向上するので引き抜き位置が合わせやすく、作物の抜き残しが減少するため作業能率が向上する。
【００２２】
また、人参に左右振動ソイラ３４，３４等が接触して傷つくことを防止できるので、人参の商品価値が向上する。
そして、ハンドル２９を回すと上下伸縮する伸縮ロッド３０の下端部にゲージ輪３１を設けたことによって、ゲージ輪３１を圃場面に接地させるとそれ以上引抜搬送装置２４が下降しなくなるので、操縦者の操縦ミスや予期せぬ地面の凹凸によって引抜搬送装置２４の下端部が圃場面に接触して破損することが防止される。
【００２３】
そして、機体フレーム９と左右横軸２１を回動支点として上下方向に回動自在な回動フレーム２０とを昇降シリンダ２３で連結し、昇降シリンダ２３を操縦部Ｂの昇降操作レバー１４を操作することによって伸縮させる構成としたことによって、昇降操作レバー１４の操作により収穫部Ｃ全体の上下高さを調節することができるので、収穫部Ｃの引抜搬送始端部の位置を上下方向に調節しするとともに圃場に植生する人参の適切な引き抜き高さに合わせて引抜搬送始端部の位置調節を行え、人参の抜き残しが防止されるので作業能率が向上する。
【００２４】
また、旋回時に収穫部Ｃを上昇させておくと、収穫部Ｃの下端部が圃場に接触しにくくなるため、旋回動作がスムーズに行われて作業能率が向上する。
次に、茎葉切断部Ｄについて説明する。
【００２５】
図１〜図６及び図１２〜図１６で示すように、前記伝動ケース２２に駆動力を伝道する左右の伝動軸３６，３６を取り付け、該左右の伝動軸３６，３６の上部に左右伝動ケース３７，３７を取り付けると共に、該左右の伝動ケース３７，３７内に複数のギアを噛み合わせて構成する左右の第１ギアユニット３８，３８を機体前側に向かって取り付ける。また、前記伝動ケース２２内部の左右の伝動軸３６，３６に左右の第２ギアユニット３９，３９を機体後側に向かって取り付け、該左右の第２ギアユニット３９，３９の後端部に左右の第１出力軸４０，４０を機体上方に向けて軸着する。
【００２６】
そして、前記の左右第１ギアユニット３８，３８の前端部に左右の第２出力軸４１，４１を機体下方に向けて軸着し、該左右の第２出力軸４１，４１に左右の位置揃え駆動スプロケット４２，４２を軸着する。さらに、前記左右伝動ケース３７，３７の前下部に側面視Ｌ字型の左右の位置揃えフレーム４３，４３を取り付け、該位置揃えフレーム４３，４３に機体左右方向の孔部４４，４４を形成し、該孔部４４，４４に左右の位置揃え従動スプロケット４５，４５を軸着した左右回転軸４６，４６を取り付ける。また、該位置揃え従動スプロケット４５，４５と位置揃え駆動スプロケット４２，４２との前後間で且つ位置揃え駆動スプロケット４２，４２よりも機体内側位置に左右の位置揃えテンションスプロケット４７，４７を回転自在に取り付ける。さらに、該位置揃えテンションスプロケット４７，４７と位置揃え駆動スプロケット４２，４２と位置揃え従動スプロケット４５，４５とに左右の位置揃えチェーン４８，４８を無端状に巻回する。
【００２７】
なお、前記位置揃え駆動スプロケット４２，４２は、位置揃え従動スプロケット４５，４５及び位置揃えテンションスプロケット４７，４７よりも小径のものを用いてもよい。
そして、前記伝動ケース３７，３７に左右の受け板４９，４９を前後方向に位置調節可能に取り付け、該受け板４９，４９と位置揃えフレーム４３，４３との間に、前記位置揃え従動スプロケット４５，４５を張圧して位置揃えチェーン４８，４８に生じる弛みを吸収させる左右の張圧バネ５０，５０を取り付ける。該張圧バネ５０，５０は、受け板４９，４９を前後に移動させることにより、位置揃え従動スプロケット４７，４７にかかる張圧力を変更することができ、人参の種類や生育状態、茎葉部の平均的な太さに応じて変更することで、様々な作業条件に対応することができる。
【００２８】
また、前記左右の位置揃えフレーム４３，４３に機体左右方向の孔部４４，４４を形成、該孔部４４，４４に位置揃え従動スプロケット４５，４５の回転軸４６，４６を貫通させて設けたことにより、位置揃え従動スプロケット４５，４５を左右方向に移動させて位置調節することができるので、非作業時及び茎葉部が通過中でない、あるいは径の小さい茎葉部が通過する際は、位置揃え従動スプロケット４７，４７は張圧バネ５０，５０に押圧されて前側で且つ機体内側方向に向かって押圧され、大径の茎葉部が通過する際には位置揃え従動スプロケット４７，４７は機体外側方向に向かって押圧される構成となり、大径の茎葉部が噛み込まれることを防止でき、噛み込まれた茎葉部を取り除く必要が無く作業能率が向上する。
【００２９】
加えて、位置揃え装置５４Ｌ，５４Ｒの搬送始端側から搬送終端側までの左右間隔が、大径の茎葉部が通過して負荷がかかったときのみ略直線状となるので、それ以外の場合には位置揃え装置の左右間隔を搬送始端側から搬送終端側に向かって広がる構成となり、位置揃え装置５４Ｌ，５４Ｒの左右間隔を通過する人参が左右方向にふらつくことを防止でき、人参の茎葉部の切断位置揃えが適正に行なわれる。
【００３０】
さらに、大径の茎葉部が位置揃え装置５４Ｌ，５４Ｒの左右間を通過できず、人参の茎葉部の切断位置が上がり過ぎ、根部に茎葉部が残ることを防止でき、後処理でこの茎葉部を取り除く作業が不要となり、作業能率が向上すると共に、人参が持ち上げられ過ぎ、根部を後述する茎葉切断装置６１に切断されてしまうことを防止できるので、人参が傷付くことが無く、商品価値が向上する。
【００３１】
そして、前記位置揃えチェーン４８，４８を構成する複数のリンク４８ａ…に、位置揃えチェーン４８，４８の上部と下部と茎葉部の接触面を覆う正面視コの字型のガイドカバー５１…を取り付け、位置揃えガイド体５２を構成する。
【００３２】
なお、図１５（ａ）〜（ｃ）で示すように、該ガイドカバー５１…は、平面視において前後一側方を凸状のＲ部５１ａ、前後他側方を凹状のＲ部５１ｂを形成し、茎葉部との接触面に前後他側方に、後続のガイドカバー５１の前後一側方の凸状のＲ部５１ａ上に向かって突出する突出部５１ｃを形成する。直線部では前方のガイドカバー５１の凹状のＲ部５１ｂに後続のガイドカバー５１の凸状のＲ部５１ａが入り込み、この後続の凸状のＲ部を前方の突出部５１ｃが覆うことによって、ガイドカバー５１同士の間隔部を覆うことができるので、ガイドカバー５１同士の間隔部に人参の茎葉部が噛み込まれることが防止され、機体を停止させて噛み込まれた茎葉部を取り除く必要が無く、作業能率が向上する。
【００３３】
また、ガイドカバー５１は凸状のＲ部５１ａと凹状のＲ部５１ｂを有し、リンク４８ａに１つずつ取り付けられていることにより、ガイドカバー５１同士は干渉し合うことが無く位置揃えチェーン４８，４８の移動に追従することができるので、位置揃え装置５４Ｌ，５４Ｒの移動がスムーズになり、作業能率が向上する。
【００３４】
加えて、位置揃えチェーン４８，４８が円弧軌跡で移動する際、突出部５１ｃを有することにより、ガイドカバー５１同士の間に大きな間隔部が生じないため、この間隔部に人参の茎葉部が噛み込まれることを防止でき、機体を停止させて噛み込まれた茎葉部を取り除く必要が無く、作業能率が向上する。
【００３５】
なお、位置揃えガイド体５２は、複数のガイドカバー５１…ではなく、位置揃えチェーン４８の上面と下面と茎葉部との接触面を覆う、断面形状コの字型としてもよい。
そして、前記位置揃えチェーン４８，４８の巻回域内で且つ位置揃え従動スプロケット４５，４５と位置揃えテンションスプロケット４７，４７との間に、位置揃えチェーン４８，４８を巻回域内から茎葉部接触面に向かって押圧する左右のテンションプレート５３Ｌ，５３Ｒを機体左右方向に位置調節自在に取り付けることにより、左右の位置揃え装置５４Ｌ，５４Ｒが引抜搬送装置２４の搬送方向後側の下方位置に構成される。
【００３６】
該テンションプレート５３Ｌ，５３Ｒは、前記伝動ケース３７，３７に長穴を形成して取付軸５３ａ，５３ａをボルト等着脱可能な部材で位置調節に取り付け、該取付軸５３ａ，５３ａの端部に板体５３ｂ，５３ｂを溶着して構成する。
【００３７】
なお、テンションプレート５３Ｌ，５３Ｒは、左右の位置揃え装置５４Ｌ，５４Ｒに略平行位置に設けてもよいが、機体外側の位置揃え装置５３Ｒの前側にテンションプレート５２Ｒを設ける場合、機体内側の位置揃え装置５３Ｌのテンションプレート５２Ｌは位置揃え装置５３Ｒのテンションプレート５２Ｒよりも機体後側に設けると、大径の茎葉部が位置揃え装置５４Ｌ，５４Ｒの左右間を通過する際、テンションプレート５２Ｌまたはテンションプレート５２Ｒの無い側に位置揃えチェーン４８及び位置揃えガイド体５２が移動するので、人参の茎葉部の径が大きくても位置揃え装置５４Ｌ，５４Ｒに噛み込まれることを防止でき、機体を停止させて噛み込まれた茎葉部を取り除く必要がなく、作業能率が向上する。
【００３８】
加えて、テンションプレート５３Ｌ，５３Ｒの張力は、前記張圧バネ５０，５０の張力よりも弱く設定すると、大径の茎葉部が通過して負荷がかかると位置揃えチェーン４８，４８が適正な位置まで撓んで退避することができ、５４Ｌ，５４Ｒに噛み込まれることを防止でき、機体を停止させて噛み込まれた茎葉部を取り除く必要がなく、作業能率が向上する。
【００３９】
そして、前記位置揃え駆動スプロケット４２，４２の近傍で且つ位置揃えガイド体５２，５２の外側位置で伝動ケース３７，３７に長穴を形成し、この長穴に位置揃えガイド体５２，５２の表面に付着した茎葉部の切れ端や泥等を落とす左右のスクレーパ５５，５５を位置揃えガイド体５２，５２の軌跡に沿って位置調節時際に取り付ける。
【００４０】
なお、スクレーパ５５，５５は、後下り傾斜姿勢で配置することにより、茎葉部の切れ端や泥を下方に落下させやすくなる。
そして、前記左右第１ギアユニット３８，３８の位置揃え装置５４Ｌ，５４Ｒの後方位置に左右の切断刃回転軸５６，５６を軸着し、該切断刃回転軸５６，５６に左右のベアリング５７，５７を回転自在に取り付ける。そして、前記左右のベアリング５７，５７に左右の支持プレート５９，５９を取り付け、該支持プレート５９，５９に左右の茎葉切断刃６０，６０を取り付けて、茎葉切断装置６１が構成される。
【００４１】
また、前記左右第１出力軸４０，４０に左右茎葉搬送駆動プーリ６２，６２を軸着し、前記左右第１ギアユニット３８，３８よりも機体前側で且つ位置揃え装置５４Ｌ，５４Ｒの上方に左右茎葉搬送従動プーリ６３，６３を回転自在に取り付ける。そして、該左右茎葉搬送駆動プーリ６２，６２と左右茎葉搬送従動プーリ６３，６３とに左右排葉搬送ベルト６４，６４を無端状に巻回することによって、前記引抜搬送装置２４から人参の茎葉部を引き継いで機体後方に排出する排葉搬送装置６５が、前記左右の伝動ケース３７，３７の上部外周で且つ引抜搬送装置２４の搬送終端部側の下方に構成される。
【００４２】
さらに、前記左右第１出力軸４０，４０の上端部に左右残葉搬送駆動プーリ６６，６６を軸着し、前記伝動ケース３７，３７の上方に左右残葉搬送従動プーリ６７，６７を回転自在に取り付けるとともに、該左右残葉搬送駆動プーリ６６，６６と左右残葉搬送従動プーリ６７，６７との前後間に複数の左右の残葉搬送テンションプーリ６８，６８…を取り付ける。そして、前記左右残葉搬送駆動プーリ６６，６６と左右残葉搬送従動プーリ６７，６７と左右残葉搬送テンションプーリ６８，６８…とに左右残葉搬送ベルト６９，６９を無端状に巻回することによって、茎葉の上部を挟持して機体後方に搬送する残葉搬送装置７０が、前記排葉搬送装置６５の上方に構成される。
【００４３】
上記排葉搬送装置６５と残葉搬送装置７０の終端部から茎葉切断装置６１によって切断された茎葉を圃場に排出する排葉シュータ７１を設けて、茎葉切断部Ｄを構成する。
上記構成により、左右の位置揃え駆動スプロケット４２，４２が、茎葉部が通過する位置揃え装置５４Ｌ，５４Ｒの左右間隔部から離間する位置に配置されることにより、位置揃え駆動スプロケット４２，４２や第２出力軸４１，４１に茎葉部が絡み付いて位置揃え装置５４Ｌ，５４Ｒを停止させてしまうことを防止できるので、収穫作業が中断されず、作業能率が向上する。
【００４４】
また、位置揃え駆動スプロケット４２，４２を位置揃え従動スプロケット４５，４５及び位置揃えテンションスプロケット４７，４７よりも小径としたことにより、位置揃え駆動スプロケット４２，４２がいっそう位置揃え装置５４Ｌ，５４Ｒの左右間隔部から離間するので、位置揃え駆動スプロケット４２，４２や第２出力軸４１，４１に茎葉部が絡み付くことをいっそう防止でき、作業能率がさらに向上する。
【００４５】
そして、位置揃え従動スプロケット４５，４５を張圧する左右の張圧バネ５０，５０を設けたことにより、位置揃え装置５４Ｌ，５４Ｒに茎葉部が接触する際に左右の位置揃えチェーン４８，４８に生じる弛みを吸収させることができ、位置揃えチェーン４８，４８がすぐに張り状態に戻るため、径の異なる茎葉部が連続して通過するときでも位置揃え装置５４Ｌ，５４Ｒが確実に人参の茎葉部を受けることができ、人参の茎葉部の切断位置が適正に揃えられて茎葉部が適正に切断され、後工程で茎葉部を除去する必要が無く、作業能率が向上する。
【００４６】
また、左右の受け板４９，４９を前後方向に移動させることで張圧バネ５０，５０の張力が調節されることにより、人参の生育状況や品種による茎葉部の径の差異、あるいは天候や土質等、作業場所の作業条件に合わせて張力を適正に変更できるので、人参の茎葉切断位置の位置揃えを適正に行い茎葉部を確実に切断することにより、後工程で人参に残る茎葉部を取り除く必要がなくなり、作業能率が向上する。
【００４７】
さらに、左右の位置揃えフレーム４３，４３に機体左右方向の孔部４４，４４を形成し、この孔部４４，４４に位置揃え従動スプロケット４５，４５を軸着した回転軸４６，４６を移動自在に設けたことにより、負荷がかからない状態では、張圧バネ５０，５０に張圧された位置揃え従動スプロケット４５，４５は茎葉部の搬送経路寄りに移動するので、小径の茎葉部が通過する際に位置揃え装置５４Ｌ，５４Ｒが茎葉部を受けて人参の茎葉部の切断位置を適正に揃えることができ、後工程で人参に残る茎葉部を取り除く必要がなくなり、作業能率が向上する。
【００４８】
また、大径の茎葉部が通過する際、左右の位置揃え装置５４Ｌ，５４Ｒに大きな負荷がかかると、位置揃え従動スプロケット４５，４５は孔部４４，４４に沿って茎葉部の移動経路から離間する方向に移動するので、位置揃え装置５４Ｌ，５４Ｒの前側の左右間隔が広くなり、茎葉部が位置揃え装置５４Ｌ，５４Ｒの間隔部に噛み込まれることを防止でき、機体を止めて噛み込まれた茎葉部を取り除く必要が無く、作業能率が向上する。
【００４９】
なお、人参の茎葉部が須らく大径であることが収穫作業前にわかっている場合には、位置揃え従動スプロケット４５，４５を左右の位置揃え装置５４Ｌ，５４Ｒの左右間から離間する方向に移動させ、位置揃え装置５４Ｌ，５４Ｒの搬送方向上手側の左右間隔を広くしておくと、位置揃え装置５４Ｌ，５４Ｒが茎葉部を噛み込むことを防止でき、噛み込んだ茎葉部を取り除く作業が必要なく、作業能率が向上する。
【００５０】
そして、位置揃えチェーン４８，４８を構成する複数のリンク４８ａ…毎にガイドカバー５１…を取り付けて位置揃えガイド体５２を構成したことにより、任意の箇所のガイドカバー５１を自在に着脱できるので、一部のガイドカバー５１が損傷しても、新しいガイドカバー５１に取り替えるだけで適正な位置揃え性能が維持され、茎葉部が適正に切断されるので、作業能率が向上する。
【００５１】
また、位置揃えガイド体５２全体を取り替える必要がないので、コストダウンを図ることができる。
さらに、ガイドカバー５１の着脱は、工具を必要とせず手作業で行なえるので、交換作業を容易に行なうことができる。
【００５２】
そして、ガイドカバー５１が位置揃えチェーン４８の上面と下面と茎葉部との接触面を覆う正面視コの字形状としたことにより、ガイドカバー５１と位置揃えチェーン４８との間に空間部が生じないので、ガイドカバー５１と位置揃えチェーン４８との間で茎葉部を挟み込んでしまい、人参が適正な切断位置に揃えられず茎葉部が切り残されることを防止でき、後工程で茎葉部を除去する作業が必要なく、作業能率が向上するとともに、人参の根部が切断されることを防止でき、人参の商品価値が向上する。
【００５３】
また、ガイドカバー５１に凸上のＲ部５１ａと凹状のＲ部５１ｂとを形成し、後続のガイドカバー５１の凸状のＲ部５１ａを前側のガイドカバー５１の凹状のＲ部５１ｂに近接させて位置揃えチェーン４８に取り付けることにより、位置揃えチェーン４８が位置揃え従動スプロケット４５などの周囲を円弧軌道で移動する際、ガイドカバー５１…は追従して移動できるので、位置揃え装置５４Ｌ，５４Ｒは一定の周速で動作するため、茎葉部を受けて人参の茎葉部の切断位置を適正に揃えることができ、後工程で人参に残る茎葉部を取り除く必要がなくなり、作業能率が向上する。
【００５４】
さらに、凸状のＲ部５１ａ上に向かって突出する突出部５１ｃを設けたことにより、位置揃えチェーン４８が位置揃え従動スプロケット４５などの周囲を円弧軌道で移動する際、ガイドカバー５１…同士の前後間に生じる空間部をこの突出部５１ｃが覆うため、ガイドカバー５１…同士の前後間の空間部で茎葉部を挟み込んでしまい、人参が適正な切断位置に揃えられず茎葉部が切り残されることを防止でき、後工程で茎葉部を除去する作業が必要なく、作業能率が向上するとともに、人参の根部が切断されることを防止でき、人参の商品価値が向上する。
【００５５】
そして、位置揃えチェーン４８，４８の巻回域内に左右のテンションプレート５３Ｌ，５３Ｒを設けたことにより、位置揃えチェーン４８，４８を巻回域内から押圧するため、大径の茎葉部が通過する際、テンションプレート５３Ｌまたはテンションプレート５３Ｒが押圧していない部分の位置揃えチェーン４８，４８は位置揃え駆動スプロケット４２，４２の方向へ退避できるので、茎葉部が位置揃え装置５４Ｌ，５４Ｒの左右間に噛み込まれることが無く、機体を止めて噛み込まれた茎葉部を取り除く必要が無く、作業能率が向上する。
【００５６】
また、位置揃え駆動スプロケット４２，４２の外周を移動する位置揃えガイド体５２，５２に付着した茎葉部の破片や泥等の夾雑物を擦り落とす左右のスクレーパ５５，５５を設けたことによって、茎葉部の移動経路から離れて位置で位置揃えガイド体５２，５２に付着した夾雑物を除去することができるので、茎葉部の破片が位置揃え装置５４Ｌ，５４Ｒの各部に絡み付くことが防止され、機体を止めて絡み付いた茎葉部の破片を取り除く必要が無く作業能率が向上すると共に、泥の塊が人参の根部を傷つけることが防止され、人参の商品価値が向上する。
【００５７】
さらに、スクレーパ５５，５５は長穴に沿って取り付け位置を変更することができるので、収穫作業を行う圃場の人参の茎葉部の径の平均に合わせて最適な位置にスクレーパ５５，５５を設定し、確実に茎葉部の破片や泥等の夾雑物を位置揃えガイド体５２，５２から除去することにより、上記の効果がさらに向上する。
【００５８】
そして、茎葉切断装置６１で人参から切断された排葉（切断された茎葉部）を圃場に排出する排葉シュータ７１が、既掘り側（人参を収穫し終えた側）に茎葉を排出するように下方傾斜姿勢に設けられていることによって、排出された茎葉が未掘り側（人参を収穫していない側）の人参の上に落下し、排葉が左右挟持搬送ベルト１９，１９や左右従動プーリ１７，１７等に絡み付いて収穫部Ｃを停止させて収穫作業を妨げることが防止できるので、作業能率が向上すると共に、人参の上に落下した排葉が収穫する人参の視認性を妨げることを防止できる。
【００５９】
次に、残葉処理部Ｅについて説明する。
図１〜図７で示すように、前記茎葉切断装置６１の下方に前後残葉処理フレーム７２，７２を設け、該残葉処理フレーム７２，７２の機体左右一側の前後間に第１残葉処理ローラ７３ａを回転自在に取り付ける。また、前記残葉処理フレーム７２，７２の機体左右他側の前後間で且つ第１残葉処理ローラ７３ａよりも下方位置に第２残葉処理ローラ７３ｂを回転自在に取り付ける。そして、該第１残葉処理ローラ７３ａと第２残葉処理ローラ７３ｂとにゴムやウレタン等の弾性体で構成する残葉処理ベルト７４を無端状に巻回する。さらに、該残葉処理ベルト７４の上部に人参の根部に残った残葉を残葉処理ベルト７４と共に挟み込んで回転して切除する残葉処理ローラ７５を取り付けて、茎葉切断部Ｄから引き継いだ人参の残葉を処理しながら機体外側方向から左右内側方向に搬送する残葉処理コンベア７６を構成することにより、残葉処理部Ｅが構成される。
【００６０】
なお、該残葉処理コンベア７６は、機体左右一側から左右他側に向けて２〜５度程度傾斜している。
これにより、落下した人参は残葉処理ベルト７４の駆動と傾斜による移動により移動するので、残葉処理コンベア７６上で人参の移動が停止することがなく、手作業で停止した人参を動かす必要がなく、作業能率が向上する。また、残葉処理コンベア７６が若干（約２〜５度）傾斜していることにより、機体が圃場の状態等により機体左右一側方向に傾斜しても残葉処理コンベア７６は地面に対して略水平状態となるに留まるので、人参が残葉処理コンベア７６上に停滞したり、残葉処理コンベア７６の搬送方向とは逆方向に移動することがなく、こうした人参を手作業で搬送経路に戻す必要がなく、作業能率が向上する。
【００６１】
上記構成により、残葉処理コンベア７６を構成する残葉処理ローラ７５が、茎葉切断装置６１で切り残された人参の残葉を千切り取るため、収穫作業後に人手で残葉を切除する作業を省略することができ、作業能率が向上する。
【００６２】
また、残葉処理コンベア７６を構成する残葉処理ベルト７４をゴムやウレタン等の弾性体で構成したことによって、茎葉切断装置６１で茎葉部を切除されて人参が落下しても残葉処理ベルト７４が落下の衝撃を軽減するので、落下の衝撃で人参が傷付くことが防止され、人参の品質が向上する。
【００６３】
次に、選別搬送部Ｆについて説明する。
図２〜図１１で示すように、前記残葉処理コンベア７６よりも機体前側で且つ下方位置に前後の第１搬送フレーム７７，７７を前後方向に所定間隔を開けて配置し、該第１搬送フレーム７７，７７の機体内側端部（機体左右他側端部）で且つ外側に前後の第２搬送フレーム７８，７８を前後方向に所定間隔を空けて且つ搬送終端部側が上下回動自在に配置する。そして、該第１搬送フレーム７７，７７の機体左右一側端部に前後の駆動スプロケット７９，７９を夫々回転自在に取り付け、第１搬送フレーム７７，７７の機体左右他側端部に前後の中継スプロケット８０，８０を夫々回転自在に且つ駆動スプロケット７９，７９よりも下方位置に取り付けると共に、第２搬送フレーム７８，７８の機体左右他側端部に前後の従動スプロケット８１，８１を夫々回転自在に取り付ける。また、該駆動スプロケット７９，７９と中継スプロケット８０，８０と従動スプロケット８１，８１とに前後の伝動チェーン８２，８２を夫々無端状に巻回し、前記中継スプロケット８０，８０の上部に伝動チェーン８２，８２を張圧する前後のテンションスプロケット８３，８３を前記第１搬送フレーム７７，７７で且つ伝動チェーン８２，８２に接触する位置に回転自在に取り付ける。
【００６４】
さらに、該伝動チェーン８２，８２に人参を載せて搬送する複数の搬送プレート８４…を回動自在に取り付けると共に、該搬送プレート８４の搬送方向上手側端部（左右一側端部）が後続の搬送プレート８４の搬送方向下手側端部（左右他側端部）にオーバーラップするように配置する。
【００６５】
該搬送プレート８４は、図８（ａ）（ｂ）（ｃ）で示すように、一枚の長方形の板体の長辺の一側を、前記前後の伝動チェーン８２，８２の上方を塞ぐと共に搬送プレート８４…同士が互いにオーバーラップし合う短辺側の両端部８４ａ，８４ａを残して切断面が略直線状となる切抜部８４ｂを形成し、さらに板体の端部を残して平面視Ｈ型に切り抜いて空間部８４ｃを形成し、該空間部８４ｃを形成する際に切り残した前後の凸部８４ｄ，８４ｄに伝動チェーン８２，８２の取付穴にピン等を介して取り付けるための孔を形成し、該凸部８４ｄ，８４ｄを空間部８４ｃに向けて折り曲げて形成する。図８（ａ）において、斜線を付した部分が、加工の際に除外される部分である。
【００６６】
なお、複数の搬送プレート８４…は、図９、図１０で示すように、全ての切抜部８４ｂが左右一側方向または左右他側方向に向くように伝動チェーン８２，８２に取り付けると、該切抜部８４ｂから人参の茎葉部の切れ端や泥等の夾雑物を圃場に落下させることができ、夾雑物が機体や収容袋  に残らないので収穫作業後の掃除が容易になり、メンテナンス性が向上する。そして、人参の茎葉部や泥は圃場に還元されるので、地力が向上し、次に育成する作物の品質が向上する。
【００６７】
また、図１１で示すように、切抜部８４ｂの向きを左右一側、左右他側、左右一側、左右他側…と交互に配置することにより、切抜部８４ｂ同士が隣接して大きな落下空間８４ｅが構成されるので、この落下空間８４ｅから夾雑物だけでなく成長不良による極小サイズの人参や収穫の際に折れた人参の欠片等も圃場に排出することができ、商品価値の無い人参を圃場に還元させて地力の向上を図ることができると共に、後工程の選別作業、特に選別装置を用いる場合に誤選別を減らすことができ、人参を正確な等級に選別して出荷することができ、商品価値をいっそう向上させることができる。
【００６８】
さらに、搬送プレート８４…は、表面をゴム等の軟質部材でコーティングすると、残葉処理コンベア７６から引き継ぐ際の人参の落下の衝撃を軽減でき、人参が傷つくことが防止されて商品価値が向上する。
【００６９】
そして、前記複数の搬送プレート８４…のうち、数個おきにゴムや塩化ビニル等の弾性体で構成する搬送ラグ８５…を取り付ける。また、前記第２搬送フレーム７８，７８の左右間に支持プレート８６を取り付け、該支持プレート８６と機体フレーム１との間に選別搬送コンベア８７の搬送終端部側を上下動させる昇降シリンダ８８を伸縮自在に取り付けて、機体左右一側から左右他側に亘って人参を搬送する選別搬送コンベア８７を構成する。さらに、該選別搬送コンベア８７の搬送終端部の下部に、選別搬送コンベア８７の搬送終端部から排出される人参を滑らせて移動させる、ゴム板や塩ビ板等の軟質部材で構成する排出シュータ８９を端部が下方に垂れ下がる姿勢で取り付ける。
【００７０】
なお、選別搬送コンベア８７の搬送終端部側の下部に駆動モータ１１５を設け、該駆動モータ１１５の駆動軸にカムローラ１１６を軸着し、該カムローラ１１６を排出シュータ８９の基部側の下部に接触する構成とすると、排出シュータ８９が間欠的に機体左右方向に揺動するので、人参が収容袋９７に一箇所に片寄って落ちることを防止でき、積み重なった人参が崩れてぶつかり合い、傷付いて商品価値が低下することが防止される。
【００７１】
また、昇降シリンダ８８は電動式でも油圧式でも空圧式でもよく、手動で伸縮操作するものでもよい。駆動モータ１１５は電動モータでも油圧モータでもよい。
そして、前記機体フレーム１の機体左右他側の後部で且つ選別搬送コンベア８７よりも機体後側に、前記選別搬送コンベア８７で搬送中の人参の選別作業や選別搬送コンベア８７の操作を行なう補助作業者が搭乗する搭乗ステップ９０を配置し、該搭乗ステップ９０上で且つ選別搬送コンベア８８の中継スプロケット８０，８０を配置した近傍位置に補助作業座席９１を取り付ける。
【００７２】
さらに、前記昇降シリンダ８８を伸縮操作して選別搬送コンベア８７の搬送終端部側を上下動させる上昇ペダル９２ａと下降ペダル９２ｂとを該搭乗ステップ９０上で且つ補助作業座席９１に着座した補助作業者が足で踏んで操作できる位置に配置することによって、選別搬送部Ｆが構成される。
【００７３】
なお、上昇ペダル９２ａと下降ペダル９２ｂは、機体前後方向向き、あるいは機体左右方向向きの回動支点を中心として、前後または左右の一方を踏むと選別搬送コンベア８７の搬送終端部側が上昇し、前後または左右の他方を踏むと選別搬送コンベア８７の搬送終端部側が下降する昇降ペダル（図示せず）としてもよい。
【００７４】
上記構成によれば、駆動スプロケット７９，７９よりも中継スプロケット８０，８０を下方に配置したことにより、選別搬送コンベア８７のうち駆動スプロケット７９，７９から中継スプロケット８０，８０を配置した区間は、機体内側方向（機体左右他側方向）に約２〜５度傾斜して、残葉処理コンベア７６と略平行姿勢とすることにより、人参が残葉処理コンベア７６の何処から落下しても残葉処理コンベア７６と選別搬送コンベア８７の搬送始端部との落差が略同じなので、落下の衝撃で人参が傷付くことが防止でき、商品価値が向上する。
【００７５】
また、搬送プレート８４…の両端部８４ａ，８４ａが前後の伝動チェーン８２，８２の上方を覆う構成としたことにより、人参と共に選別搬送コンベア８７に送られた茎葉部の切れ端や泥等の夾雑物が伝動チェーン８２，８２に落下して接触することを防止でき、伝動チェーン８２，８２が夾雑物を噛み込んで停止したり外れたりして作業が停止することが防止され、作業能率が向上する。
【００７６】
そして、伝動チェーン８２，８２の上方に夾雑物の侵入を阻止するカバー部材を設ける必要がなく、部品点数を削減でき、メンテナンス性の向上やコストダウンが図られる。
さらに、搬送プレート８４…の切抜部８４ｂの切断面を略直線状としたことによって、軍手等を身に付けた補助作業者が選別作業中に切抜部８４ｂに手を近付けても軍手が引っ掛かって巻き込まれにくくなるので、作業の安全性が向上する。
【００７７】
この切抜部８４ｂの切断面をＲ形状とすると人参が切抜部８４ｂに接触しても傷付きにくいが、上述のように軍手等を身に付けた状態で手が触れると軍手等が巻き込まれることがあり、補助作業者が手を怪我するおそれや、巻き込まれた軍手等が選別搬送コンベア８７を停止させるおそれがあるため、上述のように略直線状の切断面としている。この場合でも、搬送プレート８４全体、もしくは切抜部８４ｂの周囲をゴム等の弾性素材で被覆すれば、人参が切抜部８４ｂに接触しても傷付くことを防止できる。
【００７８】
なお、この切抜部８４ｂや空間部８４ｃは、レーザー等で板体を溶断する、プレス機で板体を型抜く等の方法で形成すると切断面にバリや凹凸が生じにくく、いっそう人参の傷付きを防止できる。
【００７９】
そして、搬送プレート８４…に数個おきに搬送ラグ８５…を設けたことにより、選別搬送コンベア８７の傾斜角度を大きくした際、この搬送ラグ８５で人参が選別搬送コンベア８７の下方（搬送方向上手側）に向かって転げ落ちることを防止でき、落下の衝撃で人参が傷付くことを防止でき、商品価値が向上する。
【００８０】
また、同じ人参が選別搬送コンベア８７に長時間乗り続けることを防止でき、作業能率が向上する。
さらに、搬送ラグ８５を弾性体で構成したことにより、人参が残葉処理コンベア７６から選別搬送コンベア８７に送られる際に、搬送ラグ８５に接触しても傷付くことが防止でき、人参の商品価値が向上する。
【００８１】
なお、搬送ラグ８５は、金属板や樹脂板等の比較的硬質な素材を芯材８５ａとし、この芯材８５ａをゴム板や塩ビ板等の弾性板８５ｂで被覆して構成すると、選別搬送コンベア８７の傾斜部で人参が搬送ラグ８５に接触したとき、搬送ラグ８５が折れ曲がり過ぎて人参を転げ落としてしまうことがなく、いっそう人参が傷付くことを防止でき、商品価値を向上させることができる。
【００８２】
また、搬送プレート８４が選別搬送コンベア８７の非搬送作用側に移動するとこの搬送ラグ８５の上端部が下を向くので、搬送ラグ８５を上端部が選別搬送コンベア８７の底板（図示せず）に接触する長さにすると、選別搬送コンベア８７の底板に付着した茎葉部の切れ端や泥等の夾雑物を削ぎ落とすスクレーパとして作用させることができ、選別搬送コンベア８７の内部に夾雑物が溜まることが防止され、メンテナンス性が向上する。
【００８３】
そして、昇降シリンダ８８を操作する上昇ペダル９２ａと下降ペダル９２ｂとを補助作業座席９１に着座した補助作業者の足が届く位置に設けたことにより、補助作業者は補助作業座席９１に着座したまま選別搬送コンベア８７の搬送終端部側を上下動させることができ、作業能率が向上するとともに作業者の労力が軽減される。
【００８４】
また、上昇ペダル９２ａと下降ペダル９２ｂとを設けたことにより、補助作業者は選別搬送コンベア８７の上下動を足だけで操作することができ、手を搬送中の人参の選別作業に集中させられるので選別精度が向上すると共に、手を選別搬送コンベア８７の構成部材で挟んだり切ったりすることが防止でき、作業の安全性が向上する。
【００８５】
次に、収容部Ｇの構成について説明する。
図２〜図７及び図１７、図１８で示すように、前記選別搬送コンベア８７の前後の第２搬送フレーム７８，７８の搬送方向下手側（左右他側部）の左右間で且つ前後の伝動チェーン８２，８２の巻回域内に回動軸９３を機体前後方向に貫通させて取り付ける。また、該回動軸９３の前後両端で且つ第２搬送フレーム７８，７８よりも外側に前後のスイングアーム９４，９４の基部を上下回動自在に取り付け、該スイングアーム９４，９４の左右他側端部にハンガーシャフト９５を回動自在に貫通させて一体に連結する。そして、該ハンガーシャフト９５の搬送方向両端部（機体左右両端部）に人参を収容する収容袋（フレキシブルコンテナバッグ）９７を、上側開口部が平面視で略四角形となるように吊り下げる前後の吊下ハンガー９６，９６をそれぞれ固定して取り付ける。
【００８６】
なお、前記第２搬送フレーム７８，７８には、前後のスイングアーム９４，９４の下部に接触して、一定高さ以下にスイングアーム９４，９４が下ることを防止する前後のストッパＳ，Ｓを取り付ける。これにより、スイングアーム９４，９４が下がり過ぎ、収容袋９７を吊り下げる吊下ハンガー９６，９６が右下り傾斜姿勢となることを防止でき、収容袋が搬送終端部側（機体左右他側部）に向かって傾き、収容した人参が機外にこぼれ落ちることが防止され、人参が傷つかず商品価値が向上する。
【００８７】
さらに、前記ハンガーシャフト９５のうち、機体前側のスイングアーム９４と吊下ハンガー９６との間で且つハンガーシャフト９５の軸心に対して直交する方向に平面視Ｄ字形のアーム９５ａを固着し、該アーム９５ａに選別搬送コンベア８７の搬送終端部側の上下動に合わせて吊下ハンガー９６，９６を引っ張る引張ワイヤ９８の一側端部に設けた第１フック９９を引っ掛けて取り付ける。そして、前記操縦部フレーム１０の後部で且つ機体左右他側に上下一対の回転体を備えた滑車１００を取り付け、該滑車１００の回転体の上下間に前記引張ワイヤ９８を通過させ、該引張ワイヤ９８の他側端部に引張ワイヤ９８を機体左右一側方向に張圧する張圧スプリング１０１の一側端部を取り付ける。また、前記操縦部フレーム１０の後部で且つ機体左右一側に第２フック１０２を取り付け、該第２フック１０２に張圧スプリング１０１の他側端部を引っ掛けることで、吊下機構１０３を構成する。
【００８８】
なお、該回動軸９３の両端部は、六角形・八角形・スプライン加工等を施すと、ハンガーシャフト９５の前後中央位置よりも機体前側の偏った位置に設けたアーム９５ａに第１フック９９を介して引張ワイヤ９８を取り付けても、引張ワイヤ９８の張圧力でスイングアーム９４，９４が回動し過ぎることがないので、ハンガーシャフト９５に強い捻じれる力がかかることを防止でき、ハンガーシャフト９５が歪んだり折れたりすることが防止される。
【００８９】
そして、前記機体フレーム１の機体左右他側後部に前後支持プレート１０４，１０４を機体左右方向に取り付け、該前後支持プレート１０４，１０４の機体外側端部に載置部フレーム１０５を、左右回動軸１０５ａを回動支点として機体左右方向に回動自在に取り付ける。そして、該載置部フレーム１０５の後下部に上下回動軸１０６ａを設け、該上下回動軸１０６ａの上部に前後の吊下ハンガー９６，９６に吊り下げられる収容袋９７の底部を載置支持する載置台１０７を上下回動自在に取り付ける。
【００９０】
また、前記載置部フレーム１０５の後側の左右他側端部に後側支持プレート１０８を設け、前記上下回動軸１０６ａの左右他側端部に回動プレート１０９の下端部を機体前後方向に回動自在に軸着するとともに、該回動プレート１０９の上部と後側支持プレート１０８の上部との間に伸縮自在な伸縮ロッド１１０を取り付ける。さらに、該伸縮ロッド１１０の機体後側の端部に伸縮ロッド１１０を伸縮させる操作ハンドル１１１を取り付けるとともに、前記載置台１０７の左右両側及び後側に収容袋９７の落下を防止する落下防止板１１２を取り付ける。そして、該落下防止板１１２の機体左右他側に、前記引張ワイヤ９８の第１フック９９を引っ掛ける載置部アーム１１３を取り付けて積み下ろし機構１１４を構成する。該積み降ろし機構１１４と吊下機構１０３とから、収容部Ｇが構成される。
【００９１】
なお、伸縮ロッド１１０は一方の棒材の表面に螺子溝を刻み、他方の中空の棒材の内面に螺子溝を刻み、互いの棒体の螺子溝を合わせて操作ハンドル１１１で回転させて伸縮する構成としているが、電動シリンダや油圧シリンダに置き換えてもよく、その場合は操作ハンドル１１１をスイッチやレバーに置き換えてもよい。
【００９２】
次いで、上記収容部Ｇの動作について説明する。
人参の収穫作業開始時には、前記選別搬送コンベア８７の搬送終端部から収容袋９７までの人参の落下距離を最小限にするため、該選別搬送コンベア８７を最下位置まで下降させる。
【００９３】
この動作により、前記前後のスイングアーム９４，９４の機体左右他側端部が上昇すると共に、引張ワイヤ９８でハンガーシャフト９５のアーム９５ａが引っ張られてハンガーシャフト９５が機体左右他側方向に回動し、これに伴い該ハンガーシャフト９５の前後両端部に固定される吊下ハンガー９６，９６の機体左右他側端部が上昇して機体左右一側部が下降した右上り傾斜姿勢となる。
【００９４】
また、該吊下ハンガー９６，９６の機体左右他側部が機体左右一側部よりも上方に位置する傾斜姿勢となることにより、吊下ハンガー９６，９６に吊り下げられた収容袋（フレキシブルコンテナバッグ）９７の、選別搬送コンベア８７の搬送終端部側から人参が排出される搬送始端部側（機体左右一側部）が弛んで上下長さが短くなり、搬送終端部側（機体左右他側部）は殆ど弛みが生じず上下長さが長くなるので、背面視での収容袋９７の上側開口部は右上り傾斜姿勢となる。このとき、前記排出シュータ８９は、収容袋９７の機体左右一側部の内側に端部を垂れ下がらせて入り込ませておく。
【００９５】
そして、収穫作業が進行し、収容袋９７に収容された人参が一定量を超えると、補助作業者が上昇ペダル９２ａを足踏み操作し、昇降シリンダ８８を伸ばして選別搬送コンベア８７の搬送終端部側を上昇させる。
【００９６】
この動作により、前記スイングアーム９４，９４の機体左右他側端部が選別搬送コンベア８７の上昇量に反比例して下降すると共に、前記引張ワイヤ９８がハンガーシャフト９５のアーム９５ａが引っ張られて、ハンガーシャフト９５が搬送始端部側（機体左右一側方向）に回動するので、吊下ハンガー９６，９６や収容袋９７の上側開口部の傾斜角度が小さくなる。
【００９７】
これに伴い、収容袋９７の機体左右一側部が上方に吊り上げられ、収容袋９７の機体左右一側部の上側の弛みが解消されると共に収容袋９７の機体左右一側部の上下長さが長くなり、収容袋９７の機体左右一側の上下長さと機体左右他側部の上下長さの差が小さくなる。
【００９８】
なお、この動作による選別搬送コンベア８７の搬送終端部と収容袋９７との落差の変化は殆どなく、また排出シュータ８９の端部は、収容袋９７の内部に垂れ下がって入り込んでいる。
【００９９】
そして、収穫作業がさらに進行し、収容袋９７に収容された人参が再び一定量を超えると、選別搬送コンベア８７の搬送終端部を圃場面に対して略水平となる高さまで上昇させる。
【０１００】
この動作により、前記スイングアーム９４，９４は機体左右他側部が機体左右一側部よりも若干上方に位置する右上り傾斜となり、前記引張ワイヤ９８がハンガーシャフト９５のアーム９５ａを引っ張るので、ハンガーシャフト９５が搬送始端部側（機体左右一側方向）に回動し、前記吊下ハンガー９６，９６や収容袋９７の上側開口部は圃場面に対して略水平姿勢となる。
【０１０１】
これに伴い、収容袋９７の機体左右一側部の弛みが全て解消され、機体左右一側と機体左右他側の上下高さが略同じ高さとなる。なお、この状態でも選別搬送コンベア８７の搬送終端部と収容袋９７との落差の変化は殆どない。
【０１０２】
そして、収容袋９７の収容量が一杯になると、機体や引抜搬送装置２４、選別搬送コンベア８７等を停止させ、収容袋９７の上部のフックを吊下ハンガー９６，９６から取り外し、積み下ろし機構１１４の操作ハンドル１１１を操作して、載置台１０７を前方または後方に下降させる。これにより、人参が収容された収容袋９７は自重で載置台１０７を滑り降りるので、収容袋９７を機体前側に降ろしたときは機体を後退させ、収容袋９７を機体後側に降ろしたときは機体を前進させることにより、約２００ｋｇの人参を収容した収容袋９７が収容部Ｇから降ろされて圃場に設置される。
【０１０３】
上記構成及び動作により、収容袋９７の機体左右他側部には弛みが生じないため、人参の収容量の増加に合わせて選別搬送コンベア８７の搬送終端部を上昇させるだけで収容袋９７の機体左右一側部の弛みを取ることができ、収穫作業を中断する必要が無くなり、作業能率が向上する。
【０１０４】
また、選別搬送コンベア８７の搬送終端部と収容袋９７の機体左右一側部との落差が常に略一定であるので、落下の衝撃で人参が傷付くことを防止でき、人参の商品価値が向上する。
【０１０５】
そして、滑車１００を通過させて引張ワイヤ９８を設けたことにより、ハンガーアーム９５が回動して引張ワイヤ９８が動いても前後方向にずれることが防止されるので、選別搬送コンベア８７の上下動に合わせて吊下機構１０３を上方に引き上げることができ、収容袋９７と選別搬送コンベア８７との落差が大幅に変化したり人参が収容袋９７から投げ出されることが防止され、落下の衝撃で人参が傷付くことがなく、商品価値が向上する。
【０１０６】
さらに、引張ワイヤ９８の一側端部の第１フック９９を、ハンガーシャフト９５の機体前側の吊下ハンガー９６とスイングアーム９４との間に固着したアーム９５ａに引っ掛け、引張ワイヤ９８の他側端部を操縦フレーム１０の後部に設けた第２フック１０２に張圧スプリング１０１を介して引っ掛けたことにより、引張ワイヤ９８は選別搬送コンベア８７よりも機体前側に位置するので、選別搬送コンベア８７よりも機体後側の搭乗ステップ９０に搭乗して、あるいは補助作業座席９１に着座して作業を行う補助作業者を引張ワイヤ９８が邪魔することが無く、作業能率が向上する。
【０１０７】
また、排出シュータ８９の端部を収容袋９７の内側に垂れ下がらせたことにより、排出シュータ８９と収容袋９７との間の人参が落下し得る空間部がなくなるので、選別搬送コンベア８７から排出される人参が落下することを防止でき、人参の商品価値が向上する。
【０１０８】
なお、この排出シュータ８９の機体前後方向の幅は、選別搬送コンベア８７の機体前後方向の幅と略同じにすると、上記の人参の落下防止効果がいっそう向上する。
そして、収穫作業中は載置台１０７を機体左右他側に回動して収容袋９７の底部を支持できるとともに、作業終了後は機体左右一側に載置台１０７を回動させて折り畳むことができるので、機体の左右幅がコンパクトになり、機体を軽トラック等の搬送手段に載置しやすくできると共に、倉庫等の収容場所にスペースを取り過ぎることなく収容することができる。
【０１０９】
なお、作業終了時に載置台１０７を折り畳む際、載置台１０７に設けた載置台アーム１１３に引張ワイヤ９８の一側端部の第１フック９９を引っ掛けておくと、選別搬送コンベア８７の搬送終端部側の上昇を利用して載置台１０７を機体左右一側に回動させて折り畳むことができ、作業者の労力が軽減される。
【０１１０】
また、操作ハンドル１１１を操作して伸縮ロッド１１０を伸縮させ、載置台１０７を上下に回動させられるため、載置台１０７を下方に傾斜させて人参を満載した収容袋９７を下方に移動させた後、機体を後進させることによって収容袋９７を圃場に移動させることができるので、操縦者や補助作業者の労力が軽減されると共に作業能率が向上する。
【０１１１】
なお、収容部Ｇの載置部フレーム１０５を前後逆方向に取り付け、他の構成部品を上記構成例とは前後方向反対向きに設けることによって、載置台１０７を機体後側に下方傾斜させ、人参を満載した収容袋９７を下方に移動させた後、機体を前進させることによって収容袋９７を圃場に移動させることができるので、操縦者や補助作業者の労力が軽減されると共に、機体を後進させる必要がなくなるのでいっそう作業能率が向上する。
【０１１２】
以下、本件人参の収穫機の別実施例を説明する。
図１９で示すように、操縦部Ｂの操縦フレーム１０と選別搬送部Ｆの選別搬送コンベア８７との間に中空の支持ポール１１７を設け、該支持ポール１１７の、吊下機構１０３の回動軸９３よりも上部に孔を開けた取付ステー１１８を溶着する。そして、該取付ステー１１８の孔に引張ワイヤ１１９の一側端部を取り付け、該引張ワイヤ１１９の他側端部をアーム９５ａに取り付ける。前記牽引ワイヤ１１９は、選別搬送コンベア８７を最下降させたときに最も張力が強まり、収穫作業時の最上昇位置に上昇させたときに最も張力が弱まる。
【０１１３】
そして、図２０、図２１で示すように、前記支持ポール１１７の中空部に、操縦座席１１または補助作業座席９１のいずれか一方、あるいは両方の上方を遮蔽して直射日光や雨等から操縦者、補助作業者、その他作業用の道具等を保護するパラソル１２０を設けてもよい。
【０１１４】
上記構成により、支持ポール１１７とハンガーシャフト９５とを引張ワイヤ１１９で連結するので、吊下機構１０３の部品点数を削減することができ、コストダウンやメンテナンス性の向上が図られる。
【０１１５】
また、支持ポール１１７を操縦フレーム１０と選別搬送コンベア８７との間に設けたことにより、デッドスペースの有効活用ができると共に、選別搬送コンベア８７よりも機体後側の搭乗ステップ９０に搭乗して作業を行う補助作業者を支持ポール１１７や引張ワイヤ１１９が邪魔することが無く、作業能率が向上する。
【０１１６】
そして、パラソル１２０を設けることによって、作業者と補助作業者は強烈な直射日光や雨（雪）などを浴びることなく収穫作業をすることができ、急激な発汗による疲労や雨に濡れることによる不快感が軽減され、作業能率が向上すると共に作業者の労力が軽減される。
【０１１７】
さらに、天候に左右されず収穫作業を行うことができるので、適切な時期に人参を収穫することができ、人参の商品価値が向上する。
図２２で示すように、機体前側の第１搬送フレーム７７の搬送方向下手側（機体左右他側端部側）に第１支持アーム１２１を取り付け、機体前側の第２搬送フレーム７８外側で且つ吊下機構１０３の回動軸９３の機体前側端部に第２支持アーム１２２を回動自在に且つ上部が回動軸９３よりも上方となる位置に取り付ける。そして、該第１支持アーム１２１にハンドル１２４を操作することによって長さ調節自在なターンロッド１２３の一側端部を取り付け、第２支持アーム１２２にターンロッド１２３の他側端部の二又の長穴部１２３ａを取り付ける構成としてもよい。
【０１１８】
上記構成により、ターンロッド１２３の他側端部を長穴部１２３ａとしたことにより、収容袋９７の人参の収容量に応じて選別搬送コンベア８７を上下動させると、第２支持アーム１２２が前後のスイングアーム９４，９４の上下動に応じて上下回動することができるので、部品点数の削減が図られ、製造コストが低下するとともにメンテナンス性が向上する。
【０１１９】
そして、ハンドル１２４を操作してターンロッド１２３の長さを変更することにより、収穫する人参の品種や泥が人参に付着しやすいか否か等の作業条件に合わせて収容袋９７の機体左右一側部の弛みを調節することができ、収容袋９７の機体左右一側部が弛み過ぎて収容袋９７の容量を無駄にすることが防止され、収容袋９７の限界収容量よりも収容量が少ない状態で機体から降ろすことが無く、作業能率が向上するとともに使用する収容袋９７の数を減らすことができ、収穫作業後に回収する手間や収容袋９７を掃除する手間がかからず、作業者の労力が軽減される。
【０１２０】
逆に、収容袋９７を張り詰めさせ過ぎてしまい、人参の重量を受けて上下方向に強い張力を受けることにより、収容袋９７が傷むことを防止でき、収容袋９７を長期間使用することができると共に、収穫作業中、あるいは後工程での回収作業中や積載作業中、洗浄作業中に収容袋９７が破損し、収容していた人参が落下することを防止でき、落下の衝撃で人参が傷付くことが防止され、人参の商品価値が向上する。
【０１２１】
さらに、第２支持アーム１２２の上部を回動軸９３よりも上方に位置させたことにより、ターンロッド１２３が引っ張られて力が分散されるので、第２支持アーム１２２やターンロッド１２３の耐久力が向上する。
【０１２２】
図２３（ａ）（ｂ）（ｃ）で示すように、搬送ラグ８５を、機体前側端部から後側端部に向かうほど上下高さが低くなる、不等辺台形状あるいは直角三角形状の芯材８５ｃと、該芯材８５ｃをゴム板や塩ビ板等の弾性板８５ｂで被覆する構成としてもよい。
【０１２３】
上記構成により、残葉処理コンベア７６から人参が送られる際、人参が搬送ラグ８５上に落ちても、残葉処理コンベア７６に近い側の芯材８５ｃの上下高さが低いので、弾性板８５ｂが大きく変形でき、落下の衝撃で人参が割れることが防止され、人参の商品価値が向上する。
【０１２４】
また、選別搬送コンベア８７の傾斜部で人参が搬送ラグ８５に接触したとき、搬送ラグ８５が折れ曲がり過ぎて人参を転げ落としてしまうことがなく、いっそう人参が傷付くことを防止でき、商品価値を向上させることができる。
【０１２５】
図２４で示すように、前後のスイングアーム９４，９４の端部から機体左右他側方向に向かって前後の延長アーム１２４，１２４を、機体左右一側部よりも機体左右他側部が下方に位置する右下り傾斜姿勢で取り付け、該延長アーム１２４，１２４のどちらか一方の機体左右他側端部に、引張部材１２５に引っ掛けて積み降ろし機構１１４の機体左右他側端部を上方に吊り上げる牽引スプリング１２６を取り付ける。
【０１２６】
そして、積み降ろし機構１１４を構成する前後の支持プレート１０４，１０４の支点部に、積み降ろし機構１１４にかかる荷重に応じて積み降ろし機構１１４の機体左右外側端部を下降させるトルクスプリング１２７を取り付けてダンパ構成とし、積み降ろし機構１１４が圃場面に対して略水平となると積み降ろし機構１１４をロックするロック装置１２８，１２８を設ける構成としてもよい。
【０１２７】
上記構成により、収穫作業開始時の選別搬送コンベア８７が最下位置にあるときから、積み降ろし機構１１４の機体左右他側端部が上方に持ち上がった姿勢となるので、収容袋９７の機体左右他側部にいっそう弛みが生じにくくなるので、人参の収容量の増加に合わせて選別搬送コンベア８７の搬送終端部を上昇させるだけで収容袋９７の機体左右一側部の弛みを取ることができ、収穫作業を中断する必要が無くなり、作業能率が向上する。
【０１２８】
また、積み降ろし機構１１４が右上り傾斜姿勢であるので、選別搬送コンベア８７の搬送終端部と収容袋９７の機体左右一側部との落差が小さくなり、落下の衝撃で人参が傷付くことをいっそう防止でき、人参の商品価値が向上する。
【０１２９】
そして、載置台積み降ろし機構１１４はダンパ機構により収容袋９７に収容された人参の重量が増加するにつれて自動的に下がるので、人手で載置台１０７を操作する必要がなく、作業能率が向上すると共に作業者の労力が軽減される。
【０１３０】
さらに、載置台１０７が下降し切るとロック装置１２８，１２８を設けたことにより、ロック装置１２８，１２８を解除するまで積み降ろし機構１１４が動かないので、人参の満載された収容袋９７を下方に降ろす際、積み降ろし機構１１４が動いて収容袋９７を倒してしまうことが防止でき、倒れた衝撃で人参が傷付くことが防止されて人参の商品価値が向上すると共に、人参を拾い集める必要が無く、作業者の労力が軽減される。
【０１３１】
なお、積み降ろし機構１１４の周辺または補助作業座席の近傍にロック装置１２８，１２８を解除するロック解除レバー１２９を設けておくと、ロック解除を手早く行なえるので、作業能率が向上する。
【符号の説明】
【０１３２】
１      機体フレーム
２４    引抜搬送装置
８７    選別搬送コンベア（選別搬送装置）
８９    排出シュータ（案内部材）
９１    補助作業座席
９４    スイングアーム（昇降アーム）
９５    ハンガーシャフト（回動軸）
９５ａ  アーム
９６    吊下ハンガー（吊下部材）
９８    引張ワイヤ（引張部材）
１１４  積み降ろし機構（回収部）
【図１】
0005446556.tif 000002
【図２】
0005446556.tif 000003
【図３】
0005446556.tif 000004
【図４】
0005446556.tif 000005
【図５】
0005446556.tif 000006
【図６】
0005446556.tif 000007
【図７】
0005446556.tif 000008
【図８】
0005446556.tif 000009
【図９】
0005446556.tif 000010
【図１０】
0005446556.tif 000011
【図１１】
0005446556.tif 000012
【図１２】
0005446556.tif 000013
【図１３】
0005446556.tif 000014
【図１４】
0005446556.tif 000015
【図１５】
0005446556.tif 000016
【図１６】
0005446556.tif 000017
【図１７】
0005446556.tif 000018
【図１８】
0005446556.tif 000019
【図１９】
0005446556.tif 000020
【図２０】
0005446556.tif 000021
【図２１】
0005446556.tif 000022
【図２２】
0005446556.tif 000023
【図２３】
0005446556.tif 000024
【図２４】
0005446556.tif 000025